(57)【要約】      （修正有）【課題】装置構成をシンプルにしつつ、「なりすまし」を防止することが可能な、新規、且つ、改良された認証装置及びプログラムを提供する。【解決手段】認証装置は、被認証者を撮影する第１のカメラと、第１のカメラで撮影された被認証者３０２の背景の少なくとも一部を含む領域を撮影する第２のカメラと、第１のカメラで撮影された第１の静止画４２０ｂ及び第２のカメラで撮影された第２の静止画４２０ａを取得する取得部と、被認証者に対して人物照合を行う人物照合部と、画像一致領域４０２である第１の静止画に含まれる背景の一部の映像である第１の映像領域の画像と、第２の静止画に含まれる第１の映像領域に対応する第２の映像領域の画像とを比較することで背景照合を行う背景照合部と、被認証者に対して人物照合が成功し、且つ、背景照合が成功した場合に、被認証者に対する認証が成功したと判断する認証部とを備える。【選択図】図１５
2020095299.tif 000002
【特許請求の範囲】
【請求項１】
被認証者を撮影する第１のカメラと、
前記第１のカメラで撮影された前記被認証者の背景の少なくとも一部を含む領域を撮影する第２のカメラと、
前記第１のカメラで撮影された第１の動画、及び、前記第２のカメラで撮影された第２の動画を取得する取得部と、
前記第１の動画に基づき、前記被認証者に対して人物照合を行う人物照合部と、
前記第１の動画に含まれる、前記背景の一部の映像である第１の映像領域の画像と、前記第２の動画に含まれる、前記第１の映像領域に対応する第２の映像領域の画像とを比較することで背景照合を行う背景照合部と、
前記被認証者に対して人物照合が成功し、且つ、前記背景照合が成功した場合に、前記被認証者に対する認証が成功したと判断する認証部と、
を備える認証装置。
【請求項２】
前記背景照合部は、前記第１の動画に含まれる前記第１の映像領域の画像と、前記第２の動画に含まれる前記第２の映像領域の画像とが一致するか否かを判断することにより、前記背景照合を行う、請求項１に記載の認証装置。
【請求項３】
前記背景照合部は、前記第１及び第２の動画から所定の時間間隔で撮影された複数の静止画像をそれぞれ抽出する、請求項２に記載の認証装置。
【請求項４】
前記背景照合部は、所定の時刻の前記第１の動画に含まれる第１の静止画像の前記第１の映像領域の画像と、前記所定の時刻の前記第２の動画に含まれる第２の静止画像の前記第２の映像領域の画像とが一致するか否かを判断する、請求項３に記載の認証装置。
【請求項５】
前記背景照合部は、互いに対応する、前記第１の動画に含まれる前記各第１の静止画像の前記第１の映像領域の画像と、前記第２の動画に含まれる前記各第２の静止画像の前記第２の映像領域の画像とが全て一致した場合に、前記背景照合が成功したと判断する、請求項４に記載の認証装置。
【請求項６】
前記第１のカメラで撮影された画像と前記第２のカメラで撮影された画像との重なりに基づいて、前記第１及び第２の映像領域の位置情報を取得する領域取得部をさらに備える、請求項１〜５のいずれか１項に記載の認証装置。
【請求項７】
前記第１のカメラと前記第２のカメラとは上下方向に沿って配置されている、請求項１〜６のいずれか１項に記載の認証装置。
【請求項８】
前記第１のカメラと前記第２のカメラとは水平方向に沿って配置されている、請求項１〜６のいずれか１項に記載の認証装置。
【請求項９】
コンピュータを、
被認証者を撮影する第１のカメラで撮影された第１の動画、及び、前記第１のカメラで撮影された前記被認証者の背景の少なくとも一部を含む領域を撮影する第２のカメラで撮影された第２の動画を取得する取得部と、
前記第１の動画に基づき、前記被認証者に対して人物照合を行う人物照合部と、
前記第１の動画に含まれる、前記背景の一部の映像である第１の映像領域の画像と、前記第２の動画に含まれる、前記第１の映像領域に対応する第２の映像領域の画像とを比較することで背景照合を行う背景照合部と、
前記被認証者に対して人物照合が成功し、且つ、前記背景照合が成功した場合に、前記被認証者に対する認証が成功したと判断する認証部と、
として機能させるための、プログラム。
【発明の詳細な説明】
【技術分野】
【０００１】
本発明は、認証装置及びプログラムに関する。
【背景技術】
【０００２】
被認証者の顔画像を取得し、取得した顔画像に基づいて本人認証行う認証装置においては、顔画像を取得するカメラの前に他人の顔の写真や静止画等を掲げることにより、当該他人になりすます、「なりすまし」行為による不正を行うことが可能である。そこで、このような「なりすまし」を防止するために様々な対策が実施されている。例えば、下記特許文献１では、互いに向かい合うように設置された２つのカメラを用いて認証を行うことにより、上記「なりすまし」を防止する技術の一例が開示されている。また、下記特許文献２では動画による認証を行うことにより、顔の自然な動き（例えば、まばたき、顔の微妙な揺れ等）を検出することで、上記「なりすまし」を防止している。さらに、下記特許文献３では、顔画像の取得時に、被認証者の背景を所定のルールに従って変化させることにより、上記「なりすまし」を防止している。
【先行技術文献】
【特許文献】
【０００３】
【特許文献１】特開２００８−１０７９４２号公報
【特許文献２】特開２００４−２５９２５５号公報
【特許文献３】特開２００７−２６３３０号公報
【発明の概要】
【発明が解決しようとする課題】
【０００４】
しかしながら、これまで提案されてきた「なりすまし」を防止する技術においては、例えば動画等を表示するタブレット等をカメラの前にかざすことにより、「なりすまし」を行うことができる。また、これまで提案されてきた「なりすまし」を防止する技術においては、所定の背景を表示する投影装置等が求められることから、認証装置等の構成が複雑となることを避けることが難しい。
【０００５】
そこで、本発明は、上記状況に鑑みてなされたものであり、本発明の目的とするところは、装置構成をシンプルにしつつ、「なりすまし」を防止することが可能な、新規且つ改良された認証装置及びプログラムを提供することにある。
【課題を解決するための手段】
【０００６】
上記課題を解決するために、本発明のある観点によれば、被認証者を撮影する第１のカメラと、前記第１のカメラで撮影された前記被認証者の背景の少なくとも一部を含む領域を撮影する第２のカメラと、前記第１のカメラで撮影された第１の動画、及び、前記第２のカメラで撮影された第２の動画を取得する取得部と、前記第１の動画に基づき、前記被認証者に対して人物照合を行う人物照合部と、前記第１の動画に含まれる、前記背景の一部の映像である第１の映像領域の画像と、前記第２の動画に含まれる、前記第１の映像領域に対応する第２の映像領域の画像とを比較することで背景照合を行う背景照合部と、前記被認証者に対して人物照合が成功し、且つ、前記背景照合が成功した場合に、前記被認証者に対する認証が成功したと判断する認証部と、を備える認証装置が提供される。
【０００７】
前記背景照合部は、前記第１の動画に含まれる前記第１の映像領域の画像と、前記第２の動画に含まれる前記第２の映像領域の画像とが一致するか否かを判断することにより、前記背景照合を行ってもよい。
【０００８】
前記背景照合部は、前記第１及び第２の動画から所定の時間間隔で撮影された複数の静止画像をそれぞれ抽出してもよい。
【０００９】
前記背景照合部は、所定の時刻の前記第１の動画に含まれる第１の静止画像の前記第１の映像領域の画像と、前記所定の時刻の前記第２の動画に含まれる第２の静止画像の前記第２の映像領域の画像とが一致するか否かを判断してもよい。
【００１０】
前記背景照合部は、互いに対応する、前記第１の動画に含まれる前記各第１の静止画像の前記第１の映像領域の画像と、前記第２の動画に含まれる前記各第２の静止画像の前記第２の映像領域の画像とが全て一致した場合に、前記背景照合が成功したと判断してもよい。
【００１１】
前記認証装置は、前記第１のカメラで撮影された画像と前記第２のカメラで撮影された画像との重なりに基づいて、前記第１及び第２の映像領域の位置情報を取得する領域取得部をさらに備えてもよい。
【００１２】
前記第１のカメラと前記第２のカメラとは上下方向に沿って配置されていてもよい。
【００１３】
前記第１のカメラと前記第２のカメラとは水平方向に沿って配置されていてもよい。
【００１４】
上記課題を解決するために、本発明の別の観点によれば、コンピュータを、被認証者を撮影する第１のカメラで撮影された第１の動画、及び、前記第１のカメラで撮影された前記被認証者の背景の少なくとも一部を含む領域を撮影する第２のカメラで撮影された第２の動画を取得する取得部と、前記第１の動画に基づき、前記被認証者に対して人物照合を行う人物照合部と、前記第１の動画に含まれる、前記背景の一部の映像である第１の映像領域の画像と、前記第２の動画に含まれる、前記第１の映像領域に対応する第２の映像領域の画像とを比較することで背景照合を行う背景照合部と、前記被認証者に対して人物照合が成功し、且つ、前記背景照合が成功した場合に、前記被認証者に対する認証が成功したと判断する認証部と、として機能させるための、プログラムが提供される。
【発明の効果】
【００１５】
以上説明したように本発明によれば、装置構成をシンプルにしつつ、「なりすまし」を防止することが可能な認証装置及びプログラムを提供することができる。
【図面の簡単な説明】
【００１６】
【図１】本発明の実施形態に係る認証システム１の概要について説明するための図である。
【図２】同実施形態に係る認証装置１０のブロック図である。
【図３】同実施形態に係る認証処理方法のフローチャート図である。
【図４】同実施形態に係る認証処理方法の事前設定段階のフローチャート図である。
【図５】同実施形態に係るカメラペア情報デーブル１５２に保存される情報の一例を示す図である。
【図６】同実施形態に係る撮影の態様の一例を説明する説明図（その１）である。
【図７】同実施形態に係る静止画４００ａ、４００ｂの一例を説明する説明図である。
【図８】同実施形態に係る位置情報テーブル１５４に保存される情報の一例を示す図である。
【図９】同実施形態に係る認証処理方法の顔認証段階のフローチャート図である。
【図１０】同実施形態に係る撮影の態様の一例を説明する説明図（その２）である。
【図１１】同実施形態に係る顔認証実施管理テーブル１６２に保存される情報の一例を示す図である。
【図１２】同実施形態に係る静止画４１０ｂの一例を説明する説明図である。
【図１３】同実施形態に係る認証処理方法の背景マッチング段階のフローチャート図である。
【図１４】同実施形態に係る静止画管理テーブル１７２ａに保存される情報の一例を示す図である。
【図１５】同実施形態に係る静止画４２０ａ、４２０ｂの一例を説明する説明図である。
【図１６】同実施形態に係る背景画像マッチング結果詳細テーブル１７４に保存される情報の一例を示す図である。
【図１７】同実施形態に係る背景画像マッチング実施管理テーブル１７６に保存される情報の一例を示す図である。
【図１８】同実施形態の変形例に係る撮影の態様の一例を説明する説明図である。
【図１９】同実施形態の変形例に係る静止画４２０ａ、４２０ｂの一例を説明する説明図である。
【図２０】本発明の実施形態に係る認証装置１０のハードウェア構成を示したブロック図である。
【図２１】なりすましの態様の一例を説明する説明図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、本明細書及び図面において、実質的に同一又は類似の構成要素については、同一の符号の後に異なるアルファベットを付して区別する場合がある。ただし、類似する構成要素の各々を特に区別する必要がない場合、同一符号のみを付する。
【００１８】
以下の説明においては、本発明の実施形態は、セキュリティを確保するために行われる、入室退室の際の顔認証、空港等での顔認証、現金自動取引装置等で実施される顔認証、自治体の住民票発行装置等の顔認証等、被認証者に対する認証が行われることで、セキュティロックが解除されたり、装置が起動したりするようなシステム等に適用することができる。
【００１９】
＜＜本発明の実施形態をなすに至った経緯＞＞
まずは、本発明の実施形態の説明に先立ち、本発明者が本発明の実施形態をなすに至った経緯について、図２１を参照して説明する。図２１は、なりすましの態様の一例を説明する説明図である。
【００２０】
先に説明したように、例えば、顔画像を含む動画によって認証を行いつつ、顔の自然な動き（例えば、まばたき、顔の微妙な揺れ等）を検出することにより、他人になりすます「なりすまし」行為による不正を防止する技術がある。しかしながら、このような技術を用いても、他人に「なりすます」ことが可能である。例えば、図２１に示すように、不正行為を行おうとする人物３０４は、被認証者の顔画像を取得するカメラ９０の前に、他人の顔画像を含む動画を表示するタブレットＰＣ（ｐｅｒｓｏｎａｌ  Ｃｏｍｐｕｔｅｒ）９２等をかざす。このような場合、当該認証装置は、取得した動画に含まれる他人の顔画像に基づいて認証を行い、さらには、動画であるがゆえに顔の自然な動きも検出することができる。従って、不正行為を行おうとする人物３０４は、上記他人に「なりすまして」顔認証を成功させることができる。
【００２１】
さらに、先に説明したように、「なりすまし」を防止するために所定の背景を表示する投影装置等が求められる場合もあることから、「なりすまし」を防止しようとする場合、認証システムや認証装置等の構成が複雑となることを避けることが難しい。
【００２２】
そこで、本発明者は、上述の状況を鑑みて、装置構成をシンプルにしつつ、「なりすまし」を防止することが可能な本発明の実施形態を創作するに至った。詳細には、本発明の実施形態においては、顔画像を含む動画を用いて本人照合（認証）を行うとともに、２つのカメラで被認証者の背景の動画を取得し、２つのカメラで取得した動画のうち画像が一致すべき領域の画像が一致するか否かを判定することにより、上記「なりすまし」を防止することができる。以下、このような本発明の実施形態を順次説明する。
【００２３】
＜＜実施形態＞＞
＜認証システム１の概要＞
まずは、本発明の実施形態に係る認証システム（認証装置）１の概要について図１を参照して説明する。図１は、本実施形態に係る認証システム１の概要について説明するための図である。図１に示すように、認証システム１は、顔認証を行う認証装置１０と、被認証者３０２（図１０  参照）の顔画像及び背景３００（図６  参照）を撮影するためのカメラ２０ａ、２０ｂとを含む。なお、以下の説明おいては、図１に示すように、カメラ２０は、認証システム１内に２台設置されるものとして説明するが、本実施形態においては、これに限定されるものではなく、少なくとも２台以上のカメラ２０が含まれるのであれば、カメラ２０の数は限定されるものではない。以下に、認証システム１に含まれる各装置の概要を説明する。
【００２４】
（認証装置１０）
認証装置１０は、認証に用いる顔画像等の情報を管理し、被認証者３０２等からの要求に応じて、顔認証を行うことができるパーソナルコンピュータ等である。図１に示すように、認証装置１０は、被認証者３０２の顔認証（人物照合）を行う顔認証アプリケーション１１２と、背景３００の画像のマッチング（照合）を行う背景マッチングアプリケーション１１４とを含む。なお、認証装置１０の詳細については後述する。
【００２５】
（カメラ２０ａ、２０ｂ）
カメラ２０ａ、２０ｂは、上下方向に沿って設置され、撮影対象である空間の動画等を撮影することができる。なお、カメラ２０ａ、２０ｂは、解像度等といった各種のカメラ性能が互いに同じであることが好ましく、例えば、数１０ｃｎ程度離隔して上下方向に沿って設置されている。さらに、本実施形態においては、カメラ２０ａ、２０ｂは、その位置座標が取得できれば移動することが可能であるが、互いの相対的な位置関係が固定されていることが好ましい。詳細には、例えば、カメラ（第１のカメラ）２０ｂは、被認証者３０２（図１０  参照）の顔画像を撮影することができる。カメラ（第２のカメラ）２０ａは、カメラ２０ｂと同期しながら、カメラ２０ｂで撮影された被認証者３０２の背景３００の少なくとも一部を含む領域を撮影することができる。
【００２６】
より具体的には、例えば、カメラ２０ａ、２０ｂは、対象空間から発せられる光を集光して撮像面に光像を形成し、撮像面に形成された光像を電気的な画像信号に変換することにより画像を取得する撮像部（例えば、被写体から発せられる光を集光する撮影レンズ及びズームレンズなどの撮像光学系、および、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子等で構成される）２００ａ、２００ｂと、撮像した画像（動画、静止画）を保存する記録部２０２ａ、２０２ｂとをそれぞれ有する。
【００２７】
なお、図１においては、２つのカメラ２０ａ、２０ｂ及び認証装置１０を１つの認証システム１として図示しているが、本実施形態においては、このような構成に限定されるものではない。例えば、本実施形態においては、認証システム１は、３つ以上のカメラ２０が含まれていてもよく、認証装置１０は、アプリケーションサーバ（図示省略）とデータベースサーバ（図示省略）とから構成されていてもよく、特に限定されるものではない。
【００２８】
＜認証装置１０の構成＞
次に、図２を参照して、上述の認証装置１０の機能構成を説明する。図２は、本実施形態に係る認証装置１０のブロック図である。図２に示すように、本実施形態に係る認証装置１０は、表示部１００と、処理部１１０と、記憶部１３０とを主に有する。以下に、認証装置１０の各機能ブロックの詳細を説明する。
【００２９】
（表示部１００）
表示部１００は、被認証者３０２に対して認証結果等を表示することができ、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現することができる。また、本実施形態においては、表示部１００は、複数個設けられていてもよく、この場合、他の表示部１００は、認証装置１０の管理者に対してカメラ２０の画像等を表示することができる。なお、表示部１００は、認証装置１０と一体の装置として構成されていてもよく、あるいは、認証装置１０と別体の装置として構成されていてもよい。
【００３０】
（処理部１１０）
処理部１１０は、認証装置１０に内蔵されるＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等のハードウェアを用いて、認証装置１０の各機能部を制御する機能を有する。具体的には、処理部１１０は、図２に示すように、取得部１２０、座標取得部（領域取得部）１２２、人物照合部１２４、背景マッチング部（背景照合部）１２６及び認証部１２８として主に機能することにより、認証装置１０を制御する。以下に、処理部１１０の各機能部の詳細を説明する。
【００３１】
〜取得部１２０〜
取得部１２０は、上述のカメラ２０に対して撮影を行うように画像取得タイミング等の制御情報を出力することにより、カメラ２０を制御する。なお、この際、取得部１２０により指示される画像取得タイミング等の制御情報は、取得部１２０により後述する記憶部１３０に出力され、記憶部１３０に保存されてもよい。そして、取得部１２０は、カメラ２０ａ、２０ｂにより撮影された画像のデータ等（第１及び第２の動画等）を取得し、後述する記憶部１３０、座標取得部１２２、人物照合部１２４、背景マッチング部（背景照合部）１２６に出力する。
【００３２】
〜座標取得部１２２〜
座標取得部１２２は、２つのカメラ２０ａ、２０ｂで取得した画像が一致すべき領域を予め抽出することができる。詳細には、座標取得部１２２は、例えば、カメラ２０ａで撮影された静止画４００ａ（図７  参照）とカメラ２０ｂで撮影された静止画４００ｂ（図７  参照）の画像の一致（重なり）に基づいて、一致する画像の領域である画像一致領域（第１及び第２の映像領域）４０２（図７  参照）の位置情報（例えば、各静止画４００ａ、４００ｂにおける画像一致領域４０２の座標情報等）を取得する。そして、座標取得部１２２は、取得した画像一致領域４０２の位置情報を後述する記憶部１３０に出力することで、記憶部１３０に画像一致領域４０２の位置情報を保存する。より具体的には、例えば、座標取得部１２２は、静止画４００ａ、４００ｂ同士の共通する特徴点を抽出し、抽出した特徴点の位置関係を算出することで画像が一致する画像一致領域４０２を抽出する。さらに、座標取得部１２２は、静止画４００ａ、４００ｂにおいて抽出した画像一致領域４０２を特定する座標を取得することにより、画像一致領域４０２の位置情報を取得する。もしくは、認証装置１０の管理者によって、２つの静止画４００ａ、４００ｂを手動で重ね、座標取得部１２２は、重ねられた静止画４００ａ、４００ｂから、画像一致領域４０２を抽出してもよい。すなわち、本実施形態においては、画像一致領域４０２の位置情報の取得方法は特に限定されるものではない。
【００３３】
〜人物照合部１２４〜
人物照合部１２４は、カメラ２０ｂの動画（第１の動画）に基づき、被認証者３０２に対して顔認証（人物照合）を行うことができる。例えば、人物照合部１２４は、カメラ２０ｂの動画から１つの静止画４１０ｂ（図１２  参照）を取得し、当該静止画４１０ｂに含まれる人物の顔の特徴を示す特徴点及び特徴量を抽出する。当該特徴量は、顔画像から検出される目、鼻、口といった特徴点の位置やこれらの位置関係であり、抽出した位置情報等のデータを正規化することで取得される。さらに、人物照合部１２４は、取得した特徴量を、後述する記憶部１３０に保存された顔画像の特徴量と比較することにより（例えば、各特徴量の類似度を算出する）、静止画４１０ｂに含まれる顔画像に該当する人物を記憶部１３０から探し出す。そして、人物照合部１２４は、該当する人物が保存された情報に存在する場合には、人物照合が成功したと判定し、該当する人物が保存された情報に存在しない場合には、人物照合が成功しなかったと判定し、判定結果を後述する背景マッチング部１２６及び認証部１２８に出力する。
【００３４】
〜背景マッチング部１２６〜
背景マッチング部１２６は、上述の人物照合部１２４により被認証者３０２に対して顔認証が成功した場合に、背景マッチング（背景照合）を実行する。当該背景マッチングは、カメラ２０ｂで取得した動画に含まれる背景３００の一部の画像である画像一致領域４０２の画像と、カメラ２０ａで取得した動画に含まれる画像一致領域４０２の画像とを比較し、これら画像が一致するか否かを判定することができる。そして、背景マッチング部１２６は、カメラ２０ｂで取得した動画に含まれる画像一致領域４０２の画像と、カメラ２０ａで取得した動画に含まれる画像一致領域４０２の画像とが一致した場合に、背景マッチングが成功したと判定する。一方、背景マッチング部１２６は、カメラ２０ｂで取得した動画に含まれる画像一致領域４０２の画像と、カメラ２０ａで取得した動画に含まれる画像一致領域４０２の画像とが一致しない場合に、背景マッチングが成功しなかったと判定する。さらに、背景マッチング部１２６は、判定結果を後述する認証部１２８に出力する。
【００３５】
より具体的には、背景マッチング部１２６は、カメラ２０ａ、２０ｂで取得した動画から所定の時間間隔で撮影された複数の静止画４２０ａ、４２０ｂ（図１５  参照）をそれぞれ抽出する。次に、背景マッチング部１２６は、所定の時刻のカメラ２０ｂで取得した動画に含まれる静止画（第１の静止画像）４２０ｂの画像一致領域（第１の映像領域）４０２の画像と、所定の時刻（すなわち、同一時刻）のカメラ２０ａで取得した動画に含まれる静止画４２０ａ（第２の静止画像）の画像一致領域（第２の映像領域）４０２の画像とが一致するか否かを判定する。当該判定は、対応する、すなわち同一時刻の静止画４２０ａ、４２０ｂの対（ペア）ごとに行われることとなる。そして、背景マッチング部１２６は、全ての同一時刻の静止画４２０ａ、４２０ｂの対において、静止画４２０ａ、４２０ｂの画像一致領域４０２の画像が一致した場合には、背景マッチングが成功したと判定する。一方、背景マッチング部１２６は、１つでも一致しない同一時刻の静止画４２０ａ、４２０ｂの対が存在した場合には、背景マッチングが成功しなかったと判定する。
【００３６】
〜認証部１２８〜
認証部１２８は、被認証者３０２に対して人物照合が成功し、且つ、背景マッチングが成功した場合に、被認証者３０２に対する認証が成功したと判断し、判断結果を表示部１００等に出力したり、他のデバイス（例えば、ドアの開放、セキュリティロックの解除等）を制御したりする。
【００３７】
（記憶部１３０）
記憶部１３０は、図２に示すように、背景マッチングの実施に用いる画像位置情報データベース（Ｄａｔａ  Ｂａｓｅ；ＤＢ）１５０と、顔認証の実施に用いる顔画像データベース１６０と、カメラ２０ａ、２０ｂが取得した動画を登録するための背景画像データベース１７０とを格納する。これらのデータベースの詳細については後述する。また、記憶部１３０は、認証装置１０が処理を実行するための様々なデータやプログラムを格納していてもよい。
【００３８】
さらに詳細には、記憶部１３０は、画像位置情報ＤＢ１５０は、カメラペア情報デーブル１５２（図５  参照）、位置情報テーブル１５４（図８  参照）等を保存する。また、顔画像ＤＢ１６０は、顔認証実施管理テーブル１６２（図１１  参照）や、顔認証に用いる画像を格納する顔認証画像テーブル（図示省略）等を保存し、背景画像ＤＢ１７０は、静止画管理テーブル１７２ａ（図１４  参照）、背景画像マッチング結果詳細テーブル１７４（図１６  参照）、背景画像マッチング実施管理テーブル１７６（図１７  参照）等を保存する。これらテーブルの詳細については後述する。
【００３９】
＜認証処理方法の概要＞
次に、本実施形態に係る認証処理方法の概要について、図３を参照して説明する。図３は、本実施形態に係る認証処理方法のフローチャート図である。詳細には、本実施形態に係る認証処理方法は、図３に示すように、ステップＳ１００からステップＳ３００までの３つのステップが含まれている。以下に、各ステップの詳細を説明する。
【００４０】
（ステップＳ１００）
まず、当該ステップＳ１００においては、認証システム１は、認証を行う前の事前設定を行う。認証装置１０は、２つのカメラ２０ａ、２０ｂで被認証者３０２（図１０  参照）の背景３００となるであろう画像（例えば、静止画４００ａ、４００ｂ（図７  参照））を取得し、これら画像において一致する画像領域である領域画像一致領域４０２の位置情報（図７  参照）を取得し、保存する。
【００４１】
（ステップＳ２００）
次に、当該ステップＳ２００においては、認証装置１０は、被認証者３０２の顔画像を含む動画を取得し、取得した顔画像に基づき、顔認証を行う。
【００４２】
（ステップＳ３００）
さらに、当該ステップＳ３００においては、認証装置１０は、上述のステップＳ２００で顔認証が成功したことをトリガーにして、背景マッチングを行う。
【００４３】
なお、上述の各ステップＳ１００、Ｓ２００、Ｓ３００の詳細については、以下に順次説明する。
【００４４】
＜事前設定段階＞
次に、本実施形態に係る事前設定について、図４から図８を参照して説明する。図４は、本実施形態に係る認証処理方法の事前設定段階のフローチャート図である。図５は、本実施形態に係るカメラペア情報デーブル１５２に保存される情報の一例を示す図である。図６は、本実施形態に係る撮影の態様の一例を説明する説明図であり、詳細には設定の際の撮影の態様を示している。図７は、本実施形態に係る静止画４００ａ、４００ｂの一例を説明する説明図である。図８は、本実施形態に係る位置情報テーブル１５４に保存される情報の一例を示す図である。
【００４５】
事前設定段階では、認証装置１０は、カメラ２０ａとカメラ２０ｂで取得した静止画４００ａ、４００ｂ（図７  参照）のうち、両者の画像が一致する領域、すなわち重なる領域である画像一致領域４０２の位置情報（例えば、座標等）を取得して、格納する。詳細には、事前設定段階は、図４に示すように、ステップＳ１０１からステップＳ１１１までが含まれている。以下に、各ステップの詳細を説明する。
【００４６】
まずは、認証装置１０は、カメラペア情報デーブル１５２に保存された情報を参照して、ペア（組み合わせ）となるカメラ２０を特定する。
【００４７】
例えば、図５に示すように、カメラペア情報デーブル１５２は、本実施形態に係る認証システム１に含まれる複数のカメラ２０のうち、同じ背景３００の画像を取得することが可能なカメラのペアの情報を保存する。より具体的には、カメラペア情報デーブル１５２は、例えば、カメラ２０ａとカメラ２０ｂとによって同じ背景３００の画像を取得することができることから、当該カメラ２０ａ、２０ｂの組み合わせをペア番号「０００１」と紐づけて保存している。そして、認証装置１０は、ペアとなるカメラ２０ａ、２０ｂに対して、静止画の撮影を指示する。
【００４８】
（ステップＳ１０１）
カメラ２０ａは、静止画４００ａ（図７  参照）を撮影する。
【００４９】
（ステップＳ１０３）
カメラ２０ａと同期するように、カメラ２０ｂは、静止画４００ｂ（図７参照）を撮影する。
【００５０】
なお、本実施形態においては、図６に示されるように、カメラ２０ａ、２０ｂは、上下方向に沿って設置され、撮影対象である背景３００を撮影することができるものとする。
【００５１】
（ステップＳ１０５）
次に、認証装置１０は、ステップＳ１０１、ステップＳ１０３で取得した静止画４００ａ、４００ｂを並べて表示する。
【００５２】
（ステップＳ１０７）
さらに、認証装置１０は、並べて表示した静止画４００ａ、４００ｂを、画像の一部が一致するように上下方向にずらして重ねあわせる。
【００５３】
（ステップＳ１０９）
認証装置１０は、２つの静止画４００ａ、４００ｂの一部が完全に一致したところで重ねあわせ動作を完了する。例えば、重ねあわせ動作が完了した時点では、静止画４００ａ、４００ｂは、図７に示されるような状態となる。この状態においては、図中の上下方向の中央に位置する領域４０２において、静止画４００ａ、４００ｂの画像が一致することとなる。
【００５４】
そこで、認証装置１０は、画像が一致する領域を画像一致領域４０２として抽出し、抽出した画像一致領域４０２の、静止画４００ａにおける位置座標を取得し、取得した位置座標を位置情報として、位置情報テーブル１５４（図８  参照）に保存する。
【００５５】
（ステップＳ１１１）
さらに、認証装置１０は、抽出した画像一致領域４０２の、静止画４００ｂにおける位置座標を取得し、取得した位置座標を位置情報として、位置情報テーブル１５４（図８  参照）に保存する。
【００５６】
例えば、図８に示すように、位置情報テーブル１５４は、上述のカメラペア情報デーブル１５２で定義されたカメラ２０の組み合わせにおいて、画像が一致する画像一致領域４０２の位置座標を保存する。より具体的には、カメラペア情報デーブル１５２は、例えば、カメラ２０ａが取得した静止画４００ａの画像とカメラ２０ｂが取得した静止画４００ｂの画像とが一致する領域である画像一致領域４０２の、静止画４００ａ、４００ｂにおける位置座標をそれぞれ保存する。
【００５７】
以上により、背景マッチングの際に用いる画像一致領域４０２の位置情報を事前に取得、保存することができる。
【００５８】
＜顔認証段階＞
次に、本実施形態に係る顔認証段階について、図９から図１２を参照して説明する。図９は、本実施形態に係る認証処理方法の顔認証段階のフローチャート図である。図１０は、本実施形態に係る撮影の態様の一例を説明する説明図であり、詳細には、詳細には顔認証の際の撮影の態様を示している。図１１は、同実施形態に係る顔認証実施管理テーブル１６２に保存される情報の一例を示す図である。図１２は、本実施形態に係る静止画４１０ｂの一例を説明する説明図である。
【００５９】
本実施形態においては、顔認証を、背景マッチングを行う前に実施し、顔認証の結果に応じて背景マッチングを行うかどうかを決定することにより、処理の負荷、処理時間を節約している。しかしながら、本実施形態においては、これに限定されるものではなく、同時に実施してもよく、実施する順番を変えてもよく、特に限定されるものではない。
【００６０】
詳細には、本実施形態に係る顔認証方法は、図９に示すように、ステップＳ２０１からステップＳ２１９までが含まれている。以下に、各ステップの詳細を説明する。
【００６１】
まずは、カメラ２０ｂの前に、被認証者３０２が立ち、顔認証アプリケーション１１２が開始する。例えば、図１０に示すように、被認証者３０２は、背景３００を背にして、カメラ２０ｂの前に立つ。なお、本実施形態においては、カメラ２０ａは、カメラ２０ａの上方に位置していることから、被認証者３０２の頭部分の画像のみを取得することができる、もしくは、被認証者３０２の画像を取得することができないこととなる。
【００６２】
（ステップＳ２０１）
認証装置１０は、ユニークな顔認証実施番号を取得する。
【００６３】
（ステップＳ２０３）
認証装置１０は、被認証者３０２の顔画像を含む動画を録画する録画開始時間、録画終了時間を決定し、顔認証実施管理テーブル１６２に、ステップＳ２０１で取得した顔認証実施番号に紐づけて保存する。なお、録画時間は、例えば５〜１０秒程度となるように設定されることが好ましい。
【００６４】
例えば、図１１に示すように、顔認証実施管理テーブル１６２は、実施した認証を管理するための各種の情報を保存する。具体的には、図１１に示すように、顔認証実施管理テーブル１６２は、顔認証実施番号と、顔認証を行うための被認証者３０２の動画の録画時間（例えば、「録画開始時間」、「録画終了時間」等）とを互いに紐づけて保存する。さらに、顔認証実施管理テーブル１６２は、後述するステップによって得られる顔認証の結果と、背景マッチングの結果とを保存することもできる。
【００６５】
（ステップＳ２０５）
認証装置１０は、カメラ２０ａに対して、録画の開始及び終了（例えば、「録画開始時間」及び「録画終了時間」）を指示する。
【００６６】
（ステップＳ２０７）
認証装置１０は、カメラ２０ｂに対して、カメラ２０ａに同期するように録画の開始及び終了（例えば、「録画開始時間」及び「録画終了時間」）を指示する。
【００６７】
（ステップＳ２０９）
カメラ２０ａ、２０ｂは、指示された録画開始時間から録画終了時間までの動画を録画する。
【００６８】
（ステップＳ２１１）
認証装置１０は、カメラ２０ａ、２０ｂから動画を取得し、取得した動画を、ステップＳ２０１で取得した顔認証実施番号に紐づけて保存する。
【００６９】
（ステップＳ２１３）
認証装置１０は、カメラ２０ｂで取得した動画から静止画４１０ｂを取得し、顔認証用のデータとして保存する。例えば、静止画４１０ｂは、図１２に示されるような静止画であり、被認証者３０２の顔の画像を含む。
【００７０】
（ステップＳ２１５）
認証装置１０は、ステップＳ２１３で取得した静止画４１０ｂに含まれる顔画像と、顔画像データベース１６０に予め保存された顔画像とを照合して、顔認証を実施する。この際、認証装置１０は、ステップＳ２１３で取得した静止画４１０ｂに含まれる顔画像の大きさや鮮明度等を判定し、所定の大きさや所定の鮮明度でない場合には、被認証者３０２にカメラ２０ｂの近くに位置するように誘導したりして、再度動画の録画を行うようにしてもよい。
【００７１】
（ステップＳ２１７）
認証装置１０は、ステップＳ２１３で取得した静止画４１０ｂに含まれる顔画像と、顔画像データベース１６０に予め保存された顔画像が一致したか、すなわち顔認証が成功したか否かを判定する。顔認証が成功した場合には、ステップＳ２１９へ進み、顔認証が成功しなかった場合には、ステップＳ２２１へ進む。
【００７２】
（ステップＳ１１９）
認証装置１０は、背景マッチングアプリケーション１１４を起動して背景マッチングを実施する。この際、認証装置１０は、カメラ２０ａ、２０ｂに対して録画の開始時間と終了時間及び認証開始時に取得した顔認証実施番号を通知して、対応する動画を取得するようにしてもよい。
【００７３】
（ステップＳ２２１）
認証装置１０は、処理を終了し、被認証者３０２に対して顔認証が成功しなかった（ＮＧ）だった旨を通知する。
【００７４】
以上のように、認証装置１０は、背景マッチングを行う前に顔認証を実施し、顔認証が成功した場合に、背景マッチングを実施する。本実施形態においては、このようにすることで、処理の負荷、処理時間を節約することができる。
【００７５】
＜背景マッチング段階＞
次に、本実施形態に係る背景マッチング方法について、図１３から図１７を参照して説明する。図１３は、本実施形態に係る認証処理方法の背景マッチング段階のフローチャート図である。図１４は、本実施形態に係る静止画管理テーブル１７２ａに保存される情報の一例を示す図である。図１５は、本実施形態に係る静止画４２０ａ、４２０ｂの一例を説明する説明図である。図１６は、本実施形態に係る背景画像マッチング結果詳細テーブル１７４に保存される情報の一例を示す図である。図１７は、本実施形態に係る背景画像マッチング実施管理テーブル１７６に保存される情報の一例を示す図である。
【００７６】
背景マッチング段階では、認証装置１０は、「なりすまし」を防止するために、２つのカメラ２０ａ、２０ｂで取得した動画から抽出された静止画４２０ａ、４２０ｂ（図１５  参照）の画像一致領域４０２の画像が一致するか否かを判定する。詳細には、本実施形態に係る背景マッチング方法は、図１３に示すように、ステップＳ３０１からステップＳ３２３までが含まれている。以下に、各ステップの詳細を説明する。
【００７７】
（ステップＳ３０１）
認証装置１０は、顔認証アプリケーション１１２から背景マッチングの開始指示を受け付ける。
【００７８】
（ステップＳ３０３）
認証装置１０は、カメラ２０ａに記録されている複数の動画の中から通知された該当する顔認証実施番号に紐づけられた動画を取得し、背景マッチング用のデータとして保存する。
【００７９】
（ステップＳ３０５）
認証装置１０は、カメラ２０ｂに記録されている複数の動画の中から通知された上記顔認証実施番号に紐づけられた動画を取得し、背景マッチング用のデータとして保存する。
【００８０】
（ステップＳ３０７）
認証装置１０は、取得した動画から所定の単位時間（例えば、１秒、０．５秒、２秒等）ごとの複数の静止画４２０ａ、４２０ｂを抽出し、早い時刻の静止画４２０ａ、４２０ｂから通し番号をつけて最後の枚数をｎとして保存する。
【００８１】
詳細には、図１４に示すように、静止画管理テーブル１７２ａは、カメラ２０ａが取得した動画から抽出した複数の静止画４２０ａを保存する。当該各静止画４２０ａは、動画に対応する顔認証実施番号と、静止画４２０ａごとに割当てられた枝番号とに紐づけられて保存される。また、カメラ２０ｂが取得した動画から抽出される複数の静止画４２０ｂについても、同様に静止画管理テーブル１７２に保存されることとなる。
【００８２】
（ステップＳ３０９）
認証装置１０は、ｉ＝１に設定する。
【００８３】
（ステップＳ３１１）
認証装置１０は、ステップＳ３０９で設定したｉをステップＳ３０７で設定したｎと比較し、ｉがｎ以下であるかどうかを判定する。ｉがｎ以下であればステップＳ３０３へ進み、ｉがｎよりも大きい場合にはステップＳ３２３へ進む。
【００８４】
（ステップＳ３１３）
認証装置１０は、カメラ２０ａで撮影された静止画４２０ａの画像一致領域４０２の画像と、カメラ２０ｂで撮影された静止画４２０ｂの画像一致領域４０２の画像とを比較する。例えば、図１５に示すように、カメラ２０ａによる静止画４２０ａとカメラ２０ｂによる静止画４２０ｂとは、同時刻で取得されていることから、「なりすまし」が行われていなければ、画像一致領域４０２の画像は互いに一致するはずである。
【００８５】
（ステップＳ３１５）
認証装置１０は、カメラ２０ａで撮影された静止画４２０ａの画像一致領域４０２の画像と、カメラ２０ｂで撮影された静止画４２０ｂの画像一致領域４０２の画像とが一致する場合には、ステップＳ３１７へ進む。一方、認証装置１０は、カメラ２０ａで撮影された静止画４２０ａの画像一致領域４０２の画像と、カメラ２０ｂで撮影された静止画４２０ｂの画像一致領域４０２の画像とが一致しない場合には、ステップＳ３１９へ進む。
【００８６】
（ステップＳ３１７）
認証装置１０は、カメラ２０ａで撮影された静止画４２０ａの画像一致領域４０２と、カメラ２０ｂで撮影された静止画４２０ｂの画像一致領域４０２とが一致する場合には、ｉ枚目のデータに対してマッチングＯＫである旨を登録する。
【００８７】
（ステップＳ３１９）
認証装置１０は、カメラ２０ａで撮影された静止画４２０ａの画像一致領域４０２と、カメラ２０ｂで撮影された静止画４２０ｂの画像一致領域４０２とが一致しない場合には、ｉ枚目のデータに対してマッチングＮＧである旨を登録する。
【００８８】
詳細には、認証装置１０は、図１６に示すような背景画像マッチング結果詳細テーブル１７４に、ステップＳ３１７及びステップＳ３１９での登録情報を保存する。背景画像マッチング結果詳細テーブル１７４は、対応する（すなわち同一の時刻の）静止画４２０ａ、４２０ｂの対ごとに、画像一致領域４０２の画像が一致したか否かの結果を保存する。例えば、認証装置１０は、上述した静止画管理テーブル１７２に保存された同一の枝番号を有する静止画４２０ａ、４２０ｂの画像一致領域４０２の画像を比較し、画像が一致すれば「ＯＫ」、画像が一致しない場合には「ＮＧ」との情報を保存する。
【００８９】
（ステップＳ３２１）
認証装置１０は、ｉ＋１の値をｉに設定し、上述のステップＳ３１１に戻る。
【００９０】
（ステップＳ３２３）
認証装置１０は、ｉがｎよりも大きい場合には図１３に示すループから抜け、背景画像マッチング結果詳細テーブル１７４を参照して、背景マッチングの結果を確認する。詳細には、認証装置１０は、静止画４２０ａ、４２０ｂの対のうち、１つでもＮＧがあった場合には、背景マッチング結果をＮＧとし、全ての静止画４２０ａ、４２０ｂの対がＯＫである場合には、背景マッチング結果をＯＫとする。
【００９１】
そして、認証装置１０は、背景マッチングの結果を背景画像マッチング実施管理テーブル１７６に保存する。例えば、図１７に示すように、背景画像マッチング実施管理テーブル１７６は、顔認証番号ごとに背景マッチングの結果を保存する。
【００９２】
さらに、認証装置１０は、背景画像マッチング実施管理テーブル１７６を参照して、背景マッチングの結果がＯＫであれば認証が成功した（ＯＫ）であると判定し、背景マッチングの結果がＮＧであれば認証が成功していない（ＮＧ）であると判定し、被認証者３０２に認証結果を通知する。
【００９３】
以上のように、本実施形態においては、認証装置１０は、動画から抽出した静止画４２０ａ、４２０ｂを用いて背景マッチングを行うことにより、処理の負荷、処理時間を節約することができる。なお、静止画４２０ａ、４２０ｂを抽出する際の時間の間隔は、処理の負荷や処理時間に応じて適宜変更してもよい。なお、本発明の実施形態においては、このような静止画４２０ａ、４２０ｂのマッチングに限定されるものではなく、動画同士で直接的に行ってもよい。
【００９４】
なお、本実施形態においては、「なりすまし」を防止するために背景のマッチングを実施しているが、この際の被認証者３０２の背景３００は、例えば通行人等が含まれる等のような変化するものであることが好ましい。しかしながら、このような背景３００における変化が期待できない場合には、認証システム１は、背景３００を照射する照明器具（図示省略）を点滅させるように制御することにより、背景３００の画像が変化するようにしてもよい。また、照明器具の点滅間隔が予め分かっている場合には、認証システム１は、照明が点灯しているときの静止画４２０ａ、４２０ｂと、照明が消灯しているときの静止画４２０ａ、４２０ｂとを取得できるような時間間隔で、動画から複数の静止画４２０ａ、４２０ｂを抽出するようにしてもよい。
【００９５】
＜＜まとめ＞＞
以上のように、本実施形態においては、顔画像を含む動画を用いて顔認証を行うとともに、２つのカメラ２０ａ、２０ｂで被認証者３０２の背景３００の画像を取得し、２つのカメラ２０ａ、２０ｂで取得した背景３００の画像のうち、画像一致領域４０２の画像が一致するか否かを判断することにより、「なりすまし」を防止することができる。
【００９６】
詳細には、本実施形態においては、２つのカメラ２０ａ、２０ｂで取得した動画を用いることにより、例えば動画等を表示するタブレットＰＣ９２等をカメラ２０ｂにかざすことによる「なりすまし」を防止することができる。すなわち、本実施形態によれば、より安全確実な本人認証の実施が可能となる。特に、本来では対面でないと実施できない業務を、本実施形態を適用することにより、非対面に置き換えて実施することができることから、業務従事者を減らす等の人員削減施策などにもつなげることができる。
【００９７】
さらに、本実施形態によれば、２つ以上のカメラ２０ａ、２０ｂを設置することが求められるものの、シンプル構成で実施可能であることから、製造コストや導入コストの増加を抑えることができる。
【００９８】
また、上述の説明においては、顔画像によって認証を行うものとして説明したが、本実施形態はこれに限定されるものではなく、被認証者３０２の身体の画像であってもよく、さらに、静止画４１０ｂに基づく認証に限定されるものではなく、動画に基づく認証であってもよい。
【００９９】
＜＜変形例＞＞
上述の説明においては、カメラ２０ａ、２０ｂは上下方向に沿って配置されると説明したが、本発明の実施形態においては、カメラ２０ａ、２０ｂは上下方向に沿って配置されることに限定されるものではない。そこで、本実施形態の変形例を図１８及び図１９を参照して説明する。図１８は、本実施形態の変形例に係る撮影の態様の一例を説明する説明図であり、図１９は、本実施形態の変形例に係る静止画４２０ａ、４２０ｂの一例を説明する説明図である。
【０１００】
図１８に示されるように、本変形例においては、カメラ２０ａ、２０ｂは、水平方向に沿って配置されている。このような場合、カメラ２０ａ、２０ｂは、図１９に示すような静止画４２０ａ、４２０ｂ（動画でもよい）と、これら静止画４２０ａ、４２０ｂに共通する画像一致領域４０２ａを有することとなる。すなわち、本変形例においては、図中左右方向の中央に、画像が一致する画像一致領域４０２ａが位置することとなる。このような本変形例であっても、上述した本実施形態と同様に、認証を実施することができる。
【０１０１】
＜＜本実施形態に係る認証装置１０のハードウェア構成＞＞
以上、本発明の実施形態について説明した。次に、本実施形態に係る認証装置１０のハードウェア構成について、図２０を参照して説明する。図２０は、本発明の実施形態に係る認証装置１０のハードウェア構成を示したブロック図である。
【０１０２】
図２０に示すように、認証装置１０は、ＣＰＵ９５０、ＲＯＭ９５２、ＲＡＭ９５４、内部バス９５６、入出力インターフェース９５８、入力装置９６０、出力装置９６２、ＨＤＤ（Ｈａｒｄ  Ｄｉｓｋ  Ｄｒｉｖｅ）９６４、ネットワークインターフェース９６６、ドライブ９７０及び接続ポート９７４を有する。
【０１０３】
（ＣＰＵ９５０）
ＣＰＵ９５０は、マイクロプロセッサなどのプロセッサにより構成され、演算処理装置および制御装置として、各種プログラムに従って認証装置１０内の動作全般を制御する。ＣＰＵ９５０は、例えば、上述の処理部１１０等としての機能を実現する。
【０１０４】
（ＲＯＭ９５２、ＲＡＭ９５４）
ＲＯＭ９５２は、ＣＰＵ９５０が使用するプログラムや演算パラメータ等を記憶する。また、ＲＡＭ９５４は、ＣＰＵ９５０の実行において使用するプログラムや、その実行において適宜変化するパラメータ等を一時記憶する。ＲＯＭ９５２及びＲＡＭ９５４は、上述の記憶部１３０等としての機能を実現する。
【０１０５】
（内部バス９５６）
内部バス９５６は、ＣＰＵバスなどから構成される。この内部バス９５６は、ＣＰＵ９５０、ＲＯＭ９５２、およびＲＡＭ９５４を相互に接続する。
【０１０６】
（入出力インターフェース９５８）
入出力インターフェース９５８は、ＨＤＤ９６４、及びネットワークインターフェース９６６を、内部バス９５６と接続する。例えばＨＤＤ９６４は、この入出力インターフェース９５８および内部バス９５６を介して、ＲＡＭ９５４などとの間でデータをやり取りする。
【０１０７】
（入力装置９６０）
入力装置９６０は、認証装置１０に各種パラメータ（例えば、ペアとなるカメラ２０の情報）等をあらかじめ入力するための入力部の一例として構成される。入力装置９６０は、例えばユーザが認証装置１０へパラメータをあらかじめ入力するための入力手段と、ユーザによる入力に基づいて入力信号を生成し、ＣＰＵ９５０に出力する入力制御回路などから構成されている。
【０１０８】
（出力装置９６２）
出力装置９６２は、認証装置１０の表示部の一例として構成される。出力装置９６２は、表示部として、液晶ディスプレイ装置、ＯＬＥＤ（Ｏｒｇａｎｉｃ  Ｌｉｇｈｔ  Ｅｍｉｔｔｉｎｇ  Ｄｉｏｄｅ）装置などの表示装置を含む。この表示装置は、ＣＰＵ９５０によって得られた認証の結果等を表示する。
【０１０９】
（ＨＤＤ９６４）
ＨＤＤ９６４は、上述の記憶部１３０等としての機能を実現する、データ格納用の装置である。このＨＤＤ９６４は、ＣＰＵ９５０が実行するプログラムや各種データを格納することもできる。
【０１１０】
（ネットワークインターフェース９６６）
ネットワークインターフェース９６６は、カメラ２０と間で通信を行うための通信デバイス等で構成された通信インターフェースである。
【０１１１】
（ドライブ９７０）
ドライブ９７０は、磁気ディスク、光ディスク、又は半導体メモリなどのリムーバブル記録媒体９７２のためのリーダライタであり、認証装置１０に内蔵、あるいは外付けされる。ドライブ９７０は、装着されているリムーバブル記録媒体９７２に情報を書き込むことができる。また、ドライブ９７０は、装着されているリムーバブル記録媒体９７２に記録されている情報を読み出して、ＲＡＭ９５４に出力することもできる。
【０１１２】
（接続ポート９７４）
接続ポート９７４は、外部装置（図示省略）を認証装置１０に直接接続するためのポートである。接続ポート９７４は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等である。接続ポート９７４は、接続ポート９７４に外部装置を接続することにより、認証装置１０と外部装置との間で各種のデータが交換されうる。
【０１１３】
以上、本実施形態に係る認証装置１０のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１１４】
＜＜補足＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１５】
また、上述した本発明の実施形態の認証処理方法における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理方法についても、必ずしも記載された方法に沿って処理されなくてもよく、例えば、他の機能部によって他の方法によって処理されていてもよい。
【０１１６】
さらに、上記の実施形態に係る認証処理方法の少なくとも一部は、コンピュータを機能させる情報処理プログラムとして、ソフトウェアで構成することが可能であり、ソフトウェアで構成する場合には、これらの方法の少なくとも一部を実現するプログラムをフレキシブルディスクやＣＤ−ＲＯＭ（Ｃｏｍｐａｃｔ  Ｄｉｓｃ  Ｒｅａｄ  Ｏｎｌｙ  Ｍｅｍｏｒｙ）等の記録媒体に収納し、認証装置１０等、もしくは、認証装置１０と接続された他の装置に読み込ませて実行させてもよい。記録媒体は、磁気ディスクや光ディスク等の着脱可能なものに限定されず、ハードディスク装置やメモリなどの固定型の記録媒体でもよい。さらに、これらの方法の少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【符号の説明】
【０１１７】
１    認証システム
１０    認証装置
２０ａ、２０ｂ、９０    カメラ
９２    タブレットＰＣ
１００    表示部
１１０    処理部
１１２    顔認証アプリケーション
１１４    背景マッチングアプリケーション
１２０    取得部
１２２    座標取得部
１２４    人物照合部
１２６    背景マッチング部
１２８    認証部
１３０    記憶部
１５０    画像位置情報データベース
１５２    カメラペア情報デーブル
１５４    位置情報テーブル
１６０    顔画像データベース
１６２    顔認証実施管理テーブル
１７０    背景画像データベース
１７２ａ    静止画管理テーブル
１７４    背景画像マッチング結果詳細テーブル
１７６    背景画像マッチング実施管理テーブル
２００ａ、２００ｂ    撮像部
２０２ａ、２０２ｂ    記録部
３００    背景
３０２    被認証者
３０４    人物
４００ａ、４００ｂ、４１０ａ、４２０ａ、４２０ｂ    静止画
４０２、４０２ａ    画像一致領域
９５０    ＣＰＵ
９５２    ＲＯＭ
９５４    ＲＡＭ
９５６    内部バス
９５８    入出力インターフェース
９６０    入力装置
９６２    出力装置
９６４    ＨＤＤ
９６６    ネットワークインターフェース
９７０    ドライブ
９７２    リムーバブル記録媒体
９７４    接続ポート
【図１】
2020095299.tif 000003
【図２】
2020095299.tif 000004
【図３】
2020095299.tif 000005
【図４】
2020095299.tif 000006
【図５】
2020095299.tif 000007
【図６】
2020095299.tif 000008
【図７】
2020095299.tif 000009
【図８】
2020095299.tif 000010
【図９】
2020095299.tif 000011
【図１０】
2020095299.tif 000012
【図１１】
2020095299.tif 000013
【図１２】
2020095299.tif 000014
【図１３】
2020095299.tif 000015
【図１４】
2020095299.tif 000016
【図１５】
2020095299.tif 000017
【図１６】
2020095299.tif 000018
【図１７】
2020095299.tif 000019
【図１８】
2020095299.tif 000020
【図１９】
2020095299.tif 000021
【図２０】
2020095299.tif 000022
【図２１】
2020095299.tif 000023